(57)【要約】無線移動通信システムにおいて、制御情報の処理方法は、移動端末の動作を単純化し、前記移動端末のリソースの効果的利用を可能にする。ネットワークは、単一インジケータチャネルでシステム情報などの制御情報の伝送を予め指示する。前記移動端末は、この単一インジケータチャネルを受信し、前記制御情報を受信するために前記インジケータチャネルで送信された前記インジケータ情報を利用する。上記方法は、静的方式でプライマリシステム情報を受信する段階と、前記プライマリシステム情報に基づいて動的方式でノンプライマリシステム情報を受信する段階とを含むことを特徴とし得る。
2009512390.tif 000002
【特許請求の範囲】
【請求項１】
静的方式でプライマリシステム情報を受信する段階と、
前記プライマリシステム情報に基づいて動的方式でノンプライマリシステム情報を受信する段階と
を含むことを特徴とする移動端末のためのシステム情報の処理方法。
【請求項２】
前記動的方式は、
前記ノンプライマリシステム情報の周波数、時間、及びサイズの少なくとも１つに基づくことを特徴とする請求項１に記載の移動端末のためのシステム情報の処理方法。
【請求項３】
前記プライマリシステム情報は、
前記ノンプライマリシステム情報の時間特性及び周波数特性の少なくとも１つを示すスケジューリング情報を含むことを特徴とする請求項１に記載の移動端末のためのシステム情報の処理方法。
【請求項４】
前記時間特性及び前記周波数特性は、
前記特定端末により読み取られるノンプライマリシステム情報の位置を示すことを特徴とする請求項３に記載の移動端末のためのシステム情報の処理方法。
【請求項５】
前記プライマリシステム情報は、
特定端末を示すインジケータをさらに含むことを特徴とする請求項４に記載の移動端末のためのシステム情報の処理方法。
【請求項６】
前記インジケータは、
端末識別子、サービス識別子、及び論理チャネル識別子の少なくとも１つを含むことを特徴とする請求項５に記載の移動端末のためのシステム情報の処理方法。
【請求項７】
前記ノンプライマリシステム情報は、
制御情報に関連していることを特徴とする請求項１に記載の移動端末のためのシステム情報の処理方法。
【請求項８】
前記制御情報は、実データを読み取るために用いられることを特徴とする請求項７に記載の移動端末のためのシステム情報の処理方法。
【請求項９】
前記時間特性はシンボルに関連し、前記周波数特性はサブキャリアに関連していることを特徴とする請求項３に記載の移動端末のためのシステム情報の処理方法。
【請求項１０】
前記ノンプライマリシステム情報は、少なくとも１つのリソースブロックの形態であることを特徴とする請求項１に記載の移動端末のためのシステム情報の処理方法。
【請求項１１】
前記プライマリシステム情報は、マスター情報ブロック（Master Information Block：ＭＩＢ）の形態であり、前記ノンプライマリシステム情報は、システム情報ブロック（SystemInformation Block：ＳＩＢ）の形態であることを特徴とする請求項１に記載の移動端末のためのシステム情報の処理方法。
【請求項１２】
前記ＭＩＢは、
ＳＩＢのサイズ情報も含むことを特徴とする請求項１１に記載の移動端末のためのシステム情報の処理方法。
【請求項１３】
静的方式でプライマリシステム情報を伝送する段階と、
前記プライマリシステム情報に基づいて動的方式でノンプライマリシステム情報を伝送する段階と
を含むことを特徴とするネットワークのためのシステム情報の処理方法。
【請求項１４】
前記動的方式は、
前記ノンプライマリシステム情報の周波数、時間、及びサイズの少なくとも１つに基づくことを特徴とする請求項１３に記載のネットワークのためのシステム情報の処理方法。
【請求項１５】
前記プライマリシステム情報は、
前記ノンプライマリシステム情報の時間特性及び周波数特性の少なくとも１つを示すスケジューリング情報を含むことを特徴とする請求項１３に記載のネットワークのためのシステム情報の処理方法。
【請求項１６】
前記プライマリシステム情報は、
特定端末を示すインジケータをさらに含むことを特徴とする請求項１５に記載のネットワークのためのシステム情報の処理方法。
【請求項１７】
前記時間特性及び前記周波数特性は、
前記特定端末により読み取られるノンプライマリシステム情報の位置を示すことを特徴とする請求項１６に記載のネットワークのためのシステム情報の処理方法。
【請求項１８】
前記インジケータは、
端末識別子、サービス識別子、及び論理チャネル識別子の少なくとも１つを含むことを特徴とする請求項１６に記載のネットワークのためのシステム情報の処理方法。
【請求項１９】
前記ノンプライマリシステム情報は、
制御情報に関連していることを特徴とする請求項１３に記載のネットワークのためのシステム情報の処理方法。
【請求項２０】
前記制御情報は、
実データを読み取るために用いられることを特徴とする請求項１８に記載のネットワークのためのシステム情報の処理方法。
【請求項２１】
前記時間特性は、シンボルに関連し、前記周波数特性は、サブキャリアに関連していることを特徴とする請求項１５に記載のネットワークのためのシステム情報の処理方法。
【請求項２２】
前記ノンプライマリシステム情報は、
少なくとも１つのリソースブロックの形態であることを特徴とする請求項１３に記載のネットワークのためのシステム情報の処理方法。
【請求項２３】
前記プライマリシステム情報は、マスター情報ブロック（ＭＩＢ）の形態であり、前記ノンプライマリシステム情報は、システム情報ブロック（ＳＩＢ）の形態であることを特徴とする請求項１３に記載のネットワークのためのシステム情報の処理方法。
【請求項２４】
前記ＭＩＢは、
ＳＩＢのサイズ情報も含むことを特徴とする請求項１３に記載のネットワークのためのシステム情報の処理方法。
【請求項２５】
静的プライマリシステム情報を含む第１サブフレームと、
少なくとも１つの動的ノンプライマリシステム情報を含む１つ以上の後続サブフレームとを含み、
前記静的プライマリシステム情報は、前記ノンプライマリシステム情報の時間及び周波数情報を示すスケジューリング情報を含むことを特徴とするシステム情報の処理のために使用されるフレーム構造。
【請求項２６】
前記静的プライマリシステム情報は、
特定端末を示すインジケータをさらに含むことを特徴とする請求項２５に記載のシステム情報の処理のために使用されるフレーム構造。
【請求項２７】
前記時間及び周波数情報は、
前記特定端末により読み取られる各動的ノンプライマリシステム情報の位置を示すことを特徴とする請求項２６に記載のシステム情報の処理のために使用されるフレーム構造。
【請求項２８】
前記インジケータは、
端末識別子、サービス識別子、及び論理チャネル識別子の少なくとも１つを含むことを特徴とする請求項２６に記載のシステム情報の処理のために使用されるフレーム構造。
【請求項２９】
前記ノンプライマリシステム情報は、
制御情報に関連していることを特徴とする請求項２５に記載のシステム情報の処理のために使用されるフレーム構造。
【請求項３０】
前記制御情報は、
実データを読み取るために用いられることを特徴とする請求項２９に記載のシステム情報の処理のために使用されるフレーム構造。
【請求項３１】
前記時間情報は、シンボルに関連し、前記周波数情報はサブキャリアに関連していることを特徴とする請求項２５に記載のシステム情報の処理のために使用されるフレーム構造。
【請求項３２】
前記動的ノンプライマリシステム情報は、
少なくとも１つのリソースブロックの形態であることを特徴とする請求項２５に記載のシステム情報の処理のために使用されるフレーム構造。
【請求項３３】
前記静的プライマリシステム情報は、マスター情報ブロック（ＭＩＢ）の形態であり、前記動的ノンプライマリシステム情報は、システム情報ブロック（ＳＩＢ）の形態であることを特徴とする請求項２５に記載のシステム情報の処理のために使用されるフレーム構造。
【請求項３４】
前記ＭＩＢは、
ＳＩＢのサイズ情報も含むことを特徴とする請求項３３に記載のシステム情報の処理のために使用されるフレーム構造。
【請求項３５】
前記ノンプライマリシステム情報は、
移動端末のアイドルモード動作とアクティブモード動作に関する個別の情報を含む制御情報を含むことを特徴とする請求項２５に記載のシステム情報の処理のために使用されるフレーム構造。
【発明の詳細な説明】
【技術分野】
【０００１】
本発明は、無線移動通信システムに関し、特に、移動端末の動作を簡単にし、前記移動端末のための効果的なリソース使用を可能にする制御情報の処理方法に関する。
【背景技術】
【０００２】
広帯域無線（例えば、ＷｉＭＡＸ）アクセスをサポートするために、セルラー３Ｇ技術（例えば、ＵＭＴＳ、ＷＣＤＭＡなど）及びマルチキャリアベース多元接続技術（例えば、ＯＦＤＭＡ、ＯＦＤＭ−ＴＤＭＡ、ＯＦＤＭ−ＣＤＭＡなど）などの様々なタイプの広帯域無線エアインタフェースが存在する。周波数分割多重方式は、サブチャネル化（subchannelization）に関連し、少なくとも４つのタイプ（ＯＦＤＭ、フラッシュＯＦＤＭ、ｓＯＦＤＭＡ、及びＯＦＤＭＡ）が存在する。
【０００３】
直交周波数分割多重（orthogonal frequency division multiplexing：ＯＦＤＭ）方式とは、異なる周波数で同時に受信機に送信される複数の小さいサブ信号に無線信号を分割することである。ＯＦＤＭは、全てのサブキャリアが互いに直交するマルチキャリア伝送の形態を意味する。特定ＩＥＥＥ標準及び３ＧＰＰ標準がこのＯＦＤＭの多様な態様に関連している。
【０００４】
図１及び図２は、ＯＦＤＭにおいて利用される一般的なフレームを示す。１つのフレームは、１０ｍｓ（milliseconds）の時間周期（time duration）を有し、２０個のサブフレームから構成され、各サブフレームは、０．５ｍｓの時間周期を有する。各サブフレームは、データ又は情報を含むリソースブロック（ＲＢ）、及び従来のＯＦＤＭ変調に必要な（しかし、パルス整形（pulseshaping）を用いるＯＦＤＭ（すなわち、ＯＦＤＭ／ＯＱＡＭ）には必要でない）ガードインターバルであるサイクリックプリフィックス（cyclic prefix：ＣＰ）から構成される。前記サブフレーム周期は、最小ダウンリンクＴＴＩ（TransmissionTime Interval）に該当する。
【０００５】
図３は、周知の基準シンボル（reference symbols）から構成された基本的ダウンリンク基準信号構造を示す。すなわち、周波数ドメインでの物理チャネルシンボルのマッピングを示す。すなわち、チャネル符号化情報、インターリーブ情報、及びデータ変調情報（すなわち、レイヤ３情報）は、ＯＦＤＭ時間／周波数シンボルにマッピングされる。前記ＯＦＤＭシンボルは、連続するＯＦＤＭシンボルの数（Ｎ）に対応する連続するサブキャリアの数（Ｍ）から構成される。
【０００６】
ここで、７つのＯＦＤＭシンボルがサブフレーム毎に存在すると仮定する（ＣＰが短い場合）。長いＣＰ又は異なるフレーム構造のケースにおいては、この基本ダウンリンク基準信号構造が若干異なる。
【０００７】
基準シンボル（すなわち、第１基準シンボル）は、ダウンリンク伝送のために割り当てられた全てのサブフレームの第１ＯＦＤＭシンボルに位置する。これは、長いＣＰ及び短いＣＰだけでなく、ＦＤＤ及びＴＤＤにおいても同様である。さらなる基準シンボル（すなわち、第２基準シンボル）は、ダウンリンク伝送のために割り当てられた全てのサブフレームの最後の第３ＯＦＤＭシンボルに位置する。これは、長いＣＰ及び短いＣＰだけでなく、ＦＤＤ及びＴＤＤの両方のためのベースラインである。しかし、ＦＤＤの場合、前記第２基準シンボルが必要であるか否かに関する評価が行われなければならない。
【０００８】
図４は、Ｅ−ＵＭＴＳ（Evolved Universal Mobile Telecommunications System）の構造の例を示す。前記Ｅ−ＵＭＴＳシステムは、ＵＭＴＳシステムから進化したシステムであり、現在３ＧＰＰ標準機構でこれに関する標準化作業が進行中である。
【０００９】
前記Ｅ−ＵＭＴＳネットワークは、一般的に、少なくとも１つの移動端末（すなわち、ユーザ装置（User Equipment：ＵＥ））、基地局（すなわち、Ｎｏｄｅ Ｂ）、無線制御機能を行う制御プレーンサーバ（ControlPlane Server：ＣＰＳ）、無線リソース管理機能を行う無線リソース管理（Radio Resource Management：ＲＲＭ）エンティティ、移動端末の移動性管理機能を行う移動性管理エンティティ（MobilityManagement Entity：ＭＭＥ）、及び前記Ｅ−ＵＭＴＳネットワークの終端に位置して少なくとも１つの外部ネットワークに接続されるアクセスゲートウェイ（ＡＧ）を含む。ここで、前記多様なネットワークエンティティの特定名称は、前述したものに限定されない。
【００１０】
前記移動端末と前記ネットワーク間の無線インタフェースプロトコルの多様な層は、通信システム分野において公知の開放型システム間相互接続（ＯＳＩ）モデルの下位３層に基づいてＬ１（第１層）、Ｌ２（第２層）、及びＬ３（第３層）に区分される。このような層のうち、Ｌ１の一部である物理層は、物理チャネルを利用して情報伝送サービスを提供し、Ｌ３に位置する無線リソース制御（Radio Resource Control：ＲＲＣ）層は、移動端末とネットワーク間の無線リソースを制御する機能を果たす。このために、前記ＲＲＣ層は、移動端末とネットワーク間でＲＲＣメッセージを交換する。前記ＲＲＣ層の機能は、ＮｏｄｅＢ、ＣＰＳ／ＲＲＭ、及び／又はＭＭＥ間で分配されてこれらの内部で行われる。
【００１１】
図５及び図６は、移動端末とＵＴＲＡＮ（UMTS Terrestrial Radio Access Network）間の無線インタフェースプロトコルの構造の例を示す。図５及び図６の無線インタフェースプロトコルは、水平的には、物理層、データリンク層、及びネットワーク層から構成され、垂直的には、ユーザデータを伝送するユーザプレーンと制御信号を伝送する制御プレーンとから構成される。図５及び図６の無線インタフェースプロトコル層は、通信システム分野において公知の開放型システム間相互接続（ＯＳＩ）モデルの下位３層に基づいてＬ１（第１層）、Ｌ２（第２層）、及びＬ３（第３層）に区分される。
【００１２】
以下、図５の無線プロトコル制御プレーン及び図６の無線プロトコルユーザプレーンの特定層について説明する。前記物理層（すなわち、第１層）は、物理チャネルを利用して上位層に情報伝送サービスを提供する。前記物理層は、トランスポートチャネルで上位に位置する媒体アクセス制御（Medium Access Control：ＭＡＣ）層に接続され、データは、前記トランスポートチャネルを介して物理層とＭＡＣ層間を移動する。また、データ送信は、相異なる物理層間、すなわち、送信側（送信機）の物理層と受信側（受信機）の物理層間で物理チャネルを介して行われる。
【００１３】
第２層のＭＡＣ層は、論理チャネルを介して（上位層である）無線リンク制御（Radio Link Control：ＲＬＣ）層にサービスを提供する。第２層のＲＬＣ層は、信頼性のあるデータ伝送をサポートする。ＲＬＣ機能がＭＡＣ層の内部で実現されて前記ＭＡＣ層により行われる場合、前記ＲＬＣ層自体が存在する必要がなくなるため、図５及び図６においては前記ＲＬＣ層を点線で示す。第２層のＰＤＣＰ層は、ＩＰｖ４又はＩＰｖ６などのＩＰパケットを利用して伝送されるデータが相対的に帯域幅が小さい無線インタフェースを介して効率的に伝送されるように不要な制御情報を減らすヘッダ圧縮機能を果たす。
【００１４】
第３層の最下部に位置する無線リソース制御（Radio Resource Control：ＲＲＣ）層は、制御プレーンにおいてのみ定義され、無線ベアラ（Radio Bearer）の設定、再設定、及び解除に関連して論理チャネル、トランスポートチャネル、及び物理チャネルの制御を担当する。ここで、前記無線ベアラは、移動端末とＵＴＲＡＮ間のデータ伝送のためにＬ２により提供されるサービスである。
【００１５】
前記ネットワークから前記移動端末にデータを伝送するダウンリンク伝送に利用されるチャネルとしては、システム情報の伝送のためのブロードキャストチャネル（ＢＣＨ）及びユーザトラフィックや制御メッセージなどの送信に利用される共有チャネル（Shared Channel：ＳＣＨ）がある。前記移動端末から前記ネットワークにデータを伝送するアップリンク伝送に利用されるチャネルとしては、初期制御メッセージ（initialcontrol message）の伝送に利用されるＲＡＣＨ（Random Access Channel）及びユーザトラフィックや制御メッセージなどの送信に利用されるＳＣＨがある。
【発明の開示】
【発明が解決しようとする課題】
【００１６】
特定移動端末にデータを伝送する前に、インジケータ（マルチキャスト及びブロードキャストサービスのための通知メッセージが送信されることを予め通知する）が別個のチャネルで伝送される。このチャネル以外にも、前記移動端末は、周期的にシステム情報を伝送するために利用されるブロードキャストチャネルなどの他のチャネルも受信しなければならない。目的のタイプ毎に別個のチャネルで送信することにより、移動端末が受信するチャネルの数が多くなるため、移動端末の動作が複雑になり、移動端末リソースが浪費されるという問題があった。
【課題を解決するための手段】
【００１７】
本発明は、前述したような従来技術の問題を解決するために提案されたものである。結果として、本発明が制御情報を処理する方法を提供することにより、移動端末の動作が簡単になり、その移動端末のためのリソースの効果的な使用が可能になる。
【発明を実施するための最良の形態】
【００１８】
本発明の一態様は、前述したような従来の問題及び欠点に対する本発明者らの認識を含むものであり、以下に詳細に説明する。このような認識に基づいて、本発明の特徴が改善されている。
【００１９】
従来において、システム情報は、常に固定されているか、ノンフレキシブルであったと言える。このような固定されたフォーマットは、前記ネットワークから伝送された前記システム情報を移動端末が容易に検出して適切に読み取ることを可能にする。
【００２０】
これに対して、本発明は、前記システム情報の少なくとも一部分が動的に（又は、フレキシブルに）変化することに特徴がある。移動端末が動的システム情報を適切に検出して読み取ることができるように適切なインジケータが含まれる。その結果、技術的進化及び進歩をサポートするために希望どおりさらなるシステム情報を追加することができるので、現在使用されているシステム情報の将来の向上（future enhancement）又は継続的な拡張（continued expansion）が可能となる。
【００２１】
本発明の特徴は、３ＧＰＰ標準の長期的発展（long term evolution：ＬＴＥ）に関する問題に係わる。従って、３ＧＰＰ ＴＳ ２５．８１３（ＬＴＥ ＴＲ）及びその関連部門、又はこれらの一部、さらに、これらの多様な開発向上が本発明に係わる。その向上及び進化は、多様なネットワークエンティティ（例えば、ｅＮｏｄｅＢ）、プロトコル層、チャネルなどをラベリングするとき、特定接頭辞（文字Ｅ）を使用することになる。しかし、このようなラベリング及び他の専門用語は、単なる例示であるので、進行中又は今後の議論の結果として変更される（又は、後で明確になる）ことがあることは明確に理解できる。
【００２２】
図７は、制御情報及びリソースブロックが周波数及び時間に関連してそれぞれのサブフレーム内に位置することを示すことにより本発明の特徴を説明する図である。
【００２３】
周波数ドメイン及び時間ドメインに関連するサブフレームの構造（フォーマット）は、図７から分かる。すなわち、１つのサブフレームは、７つのＯＦＤＭシンボル（部分）、０．５ｍｓの時間周期を有する。
【００２４】
前記サブフレームの第１部分には制御情報（すなわち、Ｌ１／Ｌ２制御情報、ＦＣＣＨ、ＳＣＣＨなど）が含まれ、１つ以上のチャンク（chunk）形式に構成されたリソースブロック（ＲＢｓ）が前記サブフレームの残りの部分に位置する。ここで、１つのリソースブロックは、サブフレーム（制御情報のための時間周期を除いたサブフレーム）の全時間周期を占めるか、又はその時間周期の一部を占める。また、各リソースブロックは、特定周波数範囲（すなわち、サブキャリアの特定ナンバー）を利用できる。
【００２５】
周波数軸は、一般に、１．２５〜２０ＭＨｚの周波数範囲を有する拡張可能セル帯域幅（scalable cell bandwidth）とも呼ばれる。複数のサブキャリアは、前記拡張可能セル帯域幅に存在する。このような周波数範囲のいわゆる中心周波数（centerfrequency）（約１０ＭＨｚ）がシステム情報を伝送するために主に利用される。
【００２６】
従来において、このようなシステム情報は、固定されたとみなされる。これは、前記端末がシステム情報を容易に読み取ることを可能にしているが、新しいシステム情報の追加は不可能である。これに対して、本発明は、前記システム情報の少なくとも一部をフレキシブルに（又は、動的に）することができる。
【００２７】
このために、本発明は、前記システム情報をプライマリシステム情報（例えば、マスター情報ブロック（Master Information Block）：ＭＩＢ）とノンプライマリ（又は、セカンダリ）システム情報（例えば、システム情報ブロック（SystemInformation Block）：ＳＩＢ）に分ける。
【００２８】
前記ＭＩＢは、静的方式で（例えば、静的方式伝送のためにＢＣＨで）伝送され、前記ＳＩＢは、動的方式で（例えば、動的方式伝送のためにダウンリンクＳＣＨで）伝送される。ここで、動的方式で伝送するとは、多様な周波数範囲と時間周期が使用できることを意味する。
【００２９】
各フレームにおいて、前記ＭＩＢは、それぞれのＳＩＢがどこに位置しているかに関する情報を含む。すなわち、各ＳＩＢに関する特定周波数範囲（すなわち、サブキャリア）と特定時間周期（すなわち、シンボル）は、前記端末（ＵＥ）が適切なＳＩＢを適切に読み取ることができるように指定される。例えば、前記ＭＩＢは、特定ＵＥ（例えば、ＵＥ#１１）が特定リソースブロック（例えば、ＲＢ#３）を読み取る必要があることを示す。ここで、前記ＲＢ#３は、所定サブキャリアとシンボル（例えば、サブキャリア#１３〜６０及びシンボル#３〜５）に位置する情報とも表現できる。
【００３０】
同様に、１つのフレーム内のそれぞれのサブフレームにおいて、前記制御情報（第１部分に位置する）は、それぞれのリソースブロック（ＲＢ）がどこに位置しているかに関する情報を含む。すなわち、各ＲＢに関する前記周波数範囲と前記特定時間周期は、前記端末（ＵＥ）が適切なＲＢを適切に読み取ることができるように指定される。
【００３１】
図７に示す前述したような概念を、図８〜図１１を参照して以下に詳細に説明する。
【００３２】
図８は、本発明の実施形態による制御情報の送信及び受信方法を説明するための図である。前記ネットワークは、特定周期毎（例えば、第１周期）にフレーム制御チャネル（Frame Control Channel：ＦＣＣＨ）を伝送する。以下、前記特定周期は、フレームという。
【００３３】
前記ＦＣＣＨは、異なる用語で記述することもできる。すなわち、前記ネットワークにより伝送された制御情報は、Ｌ１／Ｌ２制御情報、ＦＣＣＨ、ＳＣＣＨなどと言える。以下、このような制御情報は、（制御情報及びＳＣＣＨとも記述されるが）説明の便宜上、主にＦＣＣＨという。
【００３４】
図８に示すように、ＭＩＢは、前述した第１周期とは異なる第２周期毎に繰り返し伝送される。前記ＭＩＢは、システム情報を伝送するＳＩＢ及び制御情報の各タイプのための他のＲＢに関するスケジューリング情報を含む。すなわち、前記ＭＩＢは、多重ＳＩＢなどの制御情報の各タイプを伝送するために、どの周波数で何時に利用されるかに関するスケジューリング情報を提供する。前記第２周期は、前記第１周期より長く設定される。前記ＭＩＢは、前記ＭＩＢが伝送される周期の第１フレームで伝送できる。
【００３５】
ここで、各フレームで伝送された前記ＦＣＣＨは、該当時間周期（フレーム）で伝送されたデータが共用制御メッセージ（common control message）、特定移動端末専用制御メッセージ、共用データ、又は特定移動端末専用データであるか否かについて通知することができる。また、前記ＦＣＣＨは、制御メッセージ又は制御情報のデータが伝送されるフレームの周波数及び時間について通知する。
【００３６】
前記移動端末は、第１周期毎にＦＣＣＨを周期的に受信する。特定フレームのＦＣＣＨがＭＩＢの伝送を示す場合、前記移動端末は、ＦＣＣＨで伝送されたインジケータ情報に含まれる前記スケジューリング情報に従って該当周波数で該当時間に前記ＭＩＢを受信する。前記ＭＩＢを参照することにより、前記移動端末は、インジケータメッセージなどの特定メッセージに関するスケジューリング情報を取得できる。そのスケジューリング情報により、前記移動端末は、どの周波数がいつ特定ＳＩＢなどの伝送のために使用されたかを判断できる。そのスケジューリング情報により、前記移動端末は、受信するＳＩＢ及び加入したサービスに関するメッセージを受信することができる。
【００３７】
前記ＭＩＢは、移動端末識別子もしくはサービス識別子を含むか、又は、その識別子を示すインジケータを含む。
【００３８】
図９は、本発明の他の実施形態による制御情報の送信及び受信方法を説明するための図である。１０ＭＨｚ又は２０ＭＨｚの帯域幅を有する広帯域周波数をサポートするセルは、１．２５ＭＨｚ、２．５ＭＨｚなどの狭帯域周波数で動作する移動端末のために、狭帯域周波数のシステム帯域を提供することができる。この場合、図９に示すように、前記広帯域周波数の中心帯域幅は、前記システム帯域幅のために一般的に使用される。ここで、前記ＭＩＢ、前記ＳＩＢなどは、システム帯域幅で全て伝送されなければならない。しかし、特定システム情報を伝送するＳＩＢは、前記システム帯域幅外で伝送される。
【００３９】
各フレームで伝送されたＦＣＣＨ（又は、Ｌ１／Ｌ２制御情報、ＳＣＣＨなどのシステム情報の他のタイプ）は、該当時間周期（フレーム）で伝送されたデータがＭＩＢ、ＳＩＢなどであるか否かを示す。また、前記ＦＣＣＨは、各メッセージ又はデータが伝送されるフレームの周波数及び時間について通知する。前記ＦＣＣＨは、システム帯域幅のためのＦＣＣＨとノンシステム帯域幅のためのＦＣＣＨに分けられて伝送される。従って、システム帯域幅のみを受信する移動端末は、前記システム帯域幅で伝送されたデータ又はメッセージのそれぞれの情報を取得するために前記システム帯域幅のためのＦＣＣＨを受信することができる。また、ノンシステム帯域幅を受信する移動端末は、前記ノンシステム帯域幅で伝送されたデータ又はメッセージのそれぞれの情報を取得するために、前記ノンシステム帯域幅のためのＦＣＣＨを受信することができる。
【００４０】
すなわち、図９に示す概念は、アイドルモードにある移動端末の状況を扱うためである。
【００４１】
前記ネットワーク（システム）は、２０ＭＨｚのセル帯域幅をサポートし、移動端末は、通常は１０ＭＨｚ帯域範囲のみをサポートできる。従って、前記Ｌ１／Ｌ２制御情報は、１０ＭＨｚ、５ＭＨｚなどの範囲のように所定単位（周波数範囲）で伝送される必要がある。結果として、データを読み取るために移動端末が使用する周波数範囲には３つのシナリオがある。すなわち、２０ＭＨｚ拡張可能セル帯域幅で、移動端末は３つの周波数範囲（すなわち、下位１０ＭＨｚ、上位１０ＭＨｚ、又は中間の１０ＭＨｚ）のうちの１つを読み取ることができる。
【００４２】
ＲＲＣ接続モードにある移動端末の場合、前記接続モードの移動端末が位置する特定セルが知られているため、前記３つの１０ＭＨｚの範囲のいずれか１つが利用され、この３つの１０ＭＨｚの範囲間で適切なスイッチングが可能である。しかし、アイドルモードにある移動端末の場合、前記端末が位置する特定セルが知られていないため、この３つの１０ＭＨｚの範囲のうち１つのみが利用される（通常は、中間の１０ＭＨｚ範囲が利用される）。一方、前記中間の１０ＭＨｚの範囲外の帯域幅は、接続モードにある移動端末のためのリソースブロックを送信及び受信するために利用される。
【００４３】
ここで、図９を参照した前記実施形態は１０ＭＨｚの範囲のものを説明しているが、２０ＭＨｚ拡張可能セル帯域幅を５ＭＨｚ単位まで分割することもできる。
【００４４】
図１０は、本発明の実施形態による制御情報（すなわち、ＦＣＣＨ）の構成情報を説明するための図である。前記ＦＣＣＨは、該当周期中（すなわち、該当フレーム中）に伝送されたデータ及び制御メッセージなどに関する様々なタイプの制御情報を移動端末に提供する。ここで、前記ＦＣＣＨは、５つの異なるＦＣＣＨ部分から構成されることが分かる。しかし、これは、単なる例示であり、ＦＣＣＨ部分の数は異なることがある。
【００４５】
図１０を参照すれば、第１ＦＣＣＨ部分は、ＦＣＣＨ伝送の周波数及び時間、ＦＣＣＨ情報の長さ、ＦＣＣＨ情報の受信のために必要な無線リソースパラメータなどについて通知するＦＣＣＨＭＡＰである。このようなＦＣＣＨ ＭＡＰは、各フレームに常に含まれる。本発明において、各フレームは、全てのタイプのＦＣＣＨを含むか、又は、その一部のみを含む。前記ＦＣＣＨＭＡＰは、ＦＣＣＨ部分（ＦＣＣＨ ＭＡＰを除く）の残りの４つのタイプが該当フレームで伝送されているか否かについて通知することができる。
【００４６】
第２ＦＣＣＨ部分は、移動端末がアイドルモードにある場合、ダウンリンク制御情報を受信するために必要な制御情報を含むＦＣＣＨアイドルモード（ＤＬ）である。このような第２ＦＣＣＨ部分は、前記ダウンリンクで伝送される制御情報が前記フレームに存在する場合、該当フレームに含まれる。前記ＭＩＢ、ＳＩＢなどの共用制御メッセージに関する前記制御情報は、この第２ＦＣＣＨ部分に含まれる。また、前記ＭＩＢ、前記ＳＩＢなども第２ＦＣＣＨ部分に含まれる。
【００４７】
第３ＦＣＣＨ部分は、移動端末がアイドルモードにある場合、アップリンク制御情報を伝送するために必要な制御情報を含むＦＣＣＨアイドルモード（ＵＬ）である。この第３ＦＣＣＨ部分は、アップリンクランダムアクセス伝送のために必要な情報を含む。前記移動端末がランダムアクセスメッセージを送信すると、前記ネットワークは、第３ＦＣＣＨ部分により前記ランダムアクセスメッセージに対する応答を伝送できる。また、前記第３ＦＣＣＨ部分は、ランダムアクセスメッセージに対する応答が前記第３ＦＣＣＨ部分を伝送するために使用されたフレームで伝送されることを通知するために使用される。また、このために、前記第３ＦＣＣＨ部分は、前記ランダムアクセスメッセージに対する応答に関する制御情報を含む。
【００４８】
第４ＦＣＣＨ部分は、前記移動端末がアクティブモードにある場合、ダウンリンク制御情報を受信するために必要な制御情報を含む。この第４ＦＣＣＨ部分は、該当フレームで伝送されたダウンリンク共有チャネル（shared channel：ＳＣＨ）の制御情報を含む。
【００４９】
第５ＦＣＣＨ部分は、前記移動端末がアクティブモードにある場合、アップリンク制御情報を伝送するために必要な制御情報を含む。この第５ＦＣＣＨ部分は、該当フレームで伝送されたアップリンク共有チャネル（ＳＣＨ）の制御情報を含む。
【００５０】
前記移動端末は、周期的にＦＣＣＨ ＭＡＰを受信し、受信しようとするデータ又は情報が前記該当フレームに含まれているか否かを確認する。前記ＦＣＣＨＭＡＰを受信した後、前記移動端末がアイドルモードにある場合、第２ＦＣＣＨ部分と第３ＦＣＣＨ部分のみが受信される。前記移動端末がアクティブモードにある場合、第４ＦＣＣＨ部分と第５ＦＣＣＨ部分のみが受信される。
【００５１】
マルチキャスト及びブロードキャスト送信のために必要な制御情報について通知するために、前記ネットワークは、必要に応じて他のＦＣＣＨ部分を追加して伝送できる。
【００５２】
図１１は、本発明の実施形態による移動端末のためのデータ受信方法を示す図である。図１１に示すように、前記ＳＣＣＨチャネル（すなわち、制御情報）は、ＳＣＨとは異なる周波数及び時間を利用して伝送され、１つのサブフレーム当たり一度伝送される。１つのサブフレームは、０．５ｍｓの周期（duration）で伝送され、ＳＣＣＨチャネルは、前記該当サブフレームを構成する１つ又は２つのシンボルを利用して伝送される。１つのサブフレームは、６つ又は７つのシンボルから構成され、それぞれ異なるシンボルは、それぞれ異なる時間周期（timeperiods, durations）を構成する。
【００５３】
図１１において、１つのサブフレームで伝送された前記ＳＣＣＨチャネルは、該当サブフレームのＳＣＨチャネルに関する制御情報を伝送する。前記ＳＣＣＨチャネルで伝送された制御情報は、移動端末識別子、マルチキャストサービス識別子、及び論理チャネル識別子を含む。前記論理チャネル識別子は、前記該当ＳＣＨチャネルのサブフレームで伝送されたデータが移動端末専用チャネル（すなわち、ＤＣＣＨ又はＤＴＣＨ）のためのデータであるか、共用チャネルのためのデータであるかを通知する。特に、前記データが共用チャネル用である場合、前記論理チャネル識別子は、共用チャネルのタイプ（すなわち、ＢＣＣＨ、ＰＣＣＨ、ＭＣＣＨ、ＭＴＣＨ又はＣＣＣＨ）について通知する。
【００５４】
前記移動端末は、周期的方式で又はサブフレーム毎に前記ＳＣＣＨチャネルを受信することができる。そのために、前記基地局（ｅＮｏｄｅＢ）は、前記移動端末に周期情報を伝送する。その後、前記移動端末は、前記基地局から提供された周期情報に従って周期的方式で前記ＳＣＣＨチャネルのサブフレームを受信する。
【００５５】
前記移動端末は、前記受信されたＳＣＣＨチャネルで論理チャネル識別子を取得し、前記取得された論理チャネル識別子を用いて、ＳＣＨチャネルで伝送されたデータが専用チャネル用データであるか、ＢＣＣＨ、ＰＣＣＨ、ＭＣＣＨ、ＭＴＣＨもしくはＣＣＣＨ（すなわち、共用チャネル）のうちの１つためのデータであるかを判断できる。
【００５６】
前記論理チャネル識別子が共用チャネルを示す場合、前記移動端末は、該当ＳＣＨチャネルのサブフレームを受信するので、前記共用チャネルのデータを受信する。
【００５７】
図１〜図１１は、２０個の０．５ｍｓサブフレームを有する１つの１０ｍｓフレームの実施形態を示す。しかし、本発明の特徴は、他のフレームサイズを利用する他の技術にも適用できることが分かる。例えば、５ｍｓのフレームサイズを使用することができ、ＬＴＥ技術をサポートするためには０．５ｍｓフレームサイズを使用することができる。
【００５８】
本発明の効果によれば、前記無線ネットワークは、共用制御情報（特定メッセージ、システム情報など）の伝送を（単一インジケータチャネルで）予め通知することができる。無線移動端末は、前記単一インジケータチャネルを周期的に受信することができるので、前記インジケータチャネルの制御情報を利用して前記共用制御情報を受信することができる。このような手順を利用することにより、前記移動端末の動作が単純化でき、移動端末リソースをより効果的に利用できる。
【００５９】
さらに、本発明は、周波数ドメインと時間ドメインに関連して各リソースブロックがどこに位置するかに関する情報を提供するため、システム情報、制御情報などを動的方式及びフレキシブル方式で処理することにより、向上した多様な機能をサポートする。また、周波数選択スケジューリングが行われる場合、チャネル変化に対する適応性がさらに向上する。
【００６０】
本発明は、移動端末のための（ダウンリンク）システム情報を処理する方法を提供し、前記方法は、静的方式でプライマリシステム情報を受信する段階と、前記プライマリシステム情報に基づいて動的方式でノンプライマリシステム情報を受信する段階とを含む。
【００６１】
前記動的方式は、前記ノンプライマリシステム情報の周波数、時間、及びサイズの少なくとも１つに基づく。前記プライマリシステム情報は、前記ノンプライマリシステム情報の時間特性及び周波数特性の少なくとも１つを示すスケジューリング情報を含む。前記プライマリシステム情報は、特定端末を示すインジケータをさらに含む。前記時間特性及び前記周波数特性は、前記特定端末により読み取られるノンプライマリシステム情報のそれぞれの位置を示す。前記インジケータは、端末識別子、サービス識別子、及び論理チャネル識別子の少なくとも１つを含む。前記ノンプライマリシステム情報は、制御情報に関連する。前記制御情報は、実データを読み取るために使用される。前記時間特性はシンボルに関連し、前記周波数情報はサブキャリアに関連する。前記ノンプライマリシステム情報は、少なくとも１つのリソースブロックの形態を有する。前記プライマリシステム情報は、マスター情報ブロック（ＭＩＢ）の形態であり、前記ノンプライマリシステム情報は、システム情報ブロック（ＳＩＢ）の形態である。前記ＭＩＢは、前記ＳＩＢのサイズ情報も含む。
【００６２】
また、本発明は、ネットワークのための（ダウンリンク）システム情報を処理する方法を提供し、前記方法は、静的方式でプライマリシステム情報を伝送する段階と、前記プライマリシステム情報に基づいて動的方式でノンプライマリシステム情報を伝送する段階とを含む。
【００６３】
前記動的方式は、前記ノンプライマリシステム情報の周波数、時間、及びサイズの少なくとも１つに基づく。前記プライマリシステム情報は、前記ノンプライマリシステム情報の時間特性及び周波数特性の少なくとも１つを示すスケジューリング情報を含む。前記プライマリシステム情報は、特定端末を示すインジケータをさらに含む。前記時間特性及び前記周波数特性は、前記特定端末により読み取られるノンプライマリシステム情報のそれぞれの位置を示す。前記インジケータは、端末識別子、サービス識別子、及び論理チャネル識別子の少なくとも１つを含む。前記ノンプライマリシステム情報は、制御情報に関連する。前記制御情報は、実データを読み取るために使用される。前記時間特性はシンボルに関連し、前記周波数情報はサブキャリアに関連する。前記ノンプライマリシステム情報は、少なくとも１つのリソースブロックの形態を有する。前記プライマリシステム情報は、マスター情報ブロック（ＭＩＢ）の形態であり、前記ノンプライマリシステム情報は、システム情報ブロック（ＳＩＢ）の形態である。前記ＭＩＢは、前記ＳＩＢのサイズ情報も含む。
【００６４】
さらに、本発明は、システム情報の処理のために使用されるフレーム構造を提供し、前記構造は、静的プライマリシステム情報を含む第１サブフレームと、少なくとも１つの動的なノンプライマリシステム情報を含む１つ以上の後続サブフレームとを含み、前記静的プライマリシステム情報は、前記ノンプライマリシステム情報の時間及び周波数情報を示すスケジューリング情報を含む。
【００６５】
前記静的プライマリシステム情報は、特定端末を示す１つのインジケータをさらに含む。前記時間及び周波数情報は、前記特定端末により読み取られる動的ノンプライマリシステム情報のそれぞれの位置を示す。前記インジケータは、端末識別子、サービス識別子、及び論理チャネル識別子の少なくとも１つを含む。前記ノンプライマリシステム情報は、制御情報に関連する。前記制御情報は、実データを読み取るために使用される。前記時間情報はシンボルに関連し、前記周波数情報はサブキャリアに関連する。前記動的ノンプライマリシステム情報は、少なくとも１つのリソースブロックの形態を有する。前記静的プライマリシステム情報は、マスター情報ブロック（ＭＩＢ）の形態であり、前記動的ノンプライマリシステム情報は、システム情報ブロック（ＳＩＢ）の形態である。前記ＭＩＢは、前記ＳＩＢのサイズ情報も含む。前記ノンプライマリシステム情報は、移動端末のアイドルモード動作とアクティブモード動作に関する個別の情報を含む制御情報を含む。
【００６６】
本明細書は本発明の多様な実施形態を例示的に説明する。本発明の特許請求の範囲は本明細書に記述された例示的な実施形態の多様な変形及び均等物を含むものである。従って、本発明の特許請求の範囲は記述された本発明の思想及び範囲内で行われる変形、均等物、及び特徴を包むように広く解釈されるべきである。
【図面の簡単な説明】
【００６７】
【図１】ＯＦＤＭにおいて利用されるフレームの構造を示す図である。
【図２】図１のフレーム内にあるサブフレームの構造を示す図である。
【図３】ＯＦＤＭに対するデータ及び基準シンボルが周波数ドメインと時間ドメインで表現される例を示す図である。
【図４】Ｅ−ＵＭＴＳネットワーク構造の概要を示す図である。
【図５】３ＧＰＰ無線接続ネットワーク標準に準拠した移動端末とＵＴＲＡＮ間の無線インタフェースプロトコルの構造を示す図である。
【図６】３ＧＰＰ無線接続ネットワーク標準に準拠した移動端末とＵＴＲＡＮ間の無線インタフェースプロトコルの構造を示す図である。
【図７】制御情報及びリソースブロックが周波数及び時間に関連してそれぞれのサブフレーム内に位置することを示すことにより本発明の特徴を説明する図である。
【図８】本発明の実施形態による制御情報の送信及び受信方法を説明するための図である。
【図９】本発明の他の実施形態による制御情報の送信及び受信方法を説明するための図である。
【図１０】本発明の実施形態によるＦＣＣＨの構成情報を説明するための図である。
【図１１】本発明の実施形態による移動端末のためのデータ受信方法を示す図である。
【図１】
2009512390.tif 000003
【図２】
2009512390.tif 000004
【図３】
2009512390.tif 000005
【図４】
2009512390.tif 000006
【図５】
2009512390.tif 000007
【図６】
2009512390.tif 000008
【図７】
2009512390.tif 000009
【図８】
2009512390.tif 000010
【図９】
2009512390.tif 000011
【図１０】
2009512390.tif 000012
【図１１】
2009512390.tif 000013
【国際調査報告】
2009512390.tif 000014
2009512390.tif 000015